(57)【要約】【課題】本発明は、原稿の画像を読み取り、読み取られた画像を記録媒体に複写する複写機に関し、原稿をより忠実に再現することのできる複写機を提供することを目的とする。【解決手段】原稿２００の画像を読み取る画像読取部３１によって読み取られた画像の記録媒体４００への複写に先だって、第１原稿厚検出センサ２３３あるいは原稿厚検出センサ２２５で原稿２００の厚さを検出し、４つの給紙トレイ４６１，４６２，４６３，４６４に収納されている記録媒体４００の中で、媒体厚記憶部５４に記憶されている厚さのうち、検出された厚さに最も近い厚さに対応付けられている給紙トレイに収納されている記録媒体４００を選択して、この記録媒体４００に原稿２００の画像を複写する。【選択図】        図１
2009118068.tif 000002
【特許請求の範囲】
【請求項１】
原稿の画像を読み取る画像読取部と、
前記画像読取部によって読み取られた画像を記録媒体に複写する複写部と、
前記複写部による画像の複写に先だって前記原稿の厚さを検出する原稿厚検出部とを備えたことを特徴とする複写機。
【請求項２】
前記原稿が載せられ、その載せられた原稿の画像が前記画像読取部によって読み取られる読取台と、
前記読取台の、前記原稿が載る載置場所を覆う閉状態と、該載置場所を開放する開状態との間で開閉自在な原稿蓋とを備え、
前記原稿厚検出部が、前記原稿蓋に設けられ該原稿蓋が閉状態のときに前記読取台との間に前記原稿を挟む検出器を有し、該検出器で該原稿の厚さを検出するものであることを特徴とする請求項１記載の複写機。
【請求項３】
前記原稿厚検出部が、互いに同型の複数の検出器を有し、それら複数の検出器の一部の検出器は前記読取台との間に前記原稿を挟んで該原稿の厚さを検出し、それら複数の検出器の他の一部の検出器は前記読取台に直接押し付けられて参照用に用いられるものであることを特徴とする請求項２記載の複写機。
【請求項４】
前記原稿が積まれる原稿台と、
前記原稿台に積まれた原稿を所定の搬送経路に一枚ずつ送り出して搬送する、その搬送経路上で原稿の画像が前記画像読取部によって読み取られる搬送部とを備え、
前記原稿厚検出部が、前記搬送経路上に設けられた検出器を有し、該検出器で、該搬送経路を搬送される原稿の厚さを検出するものであることを特徴とする請求項１記載の複写機。
【請求項５】
複数種類の厚さの記録媒体を収納した収納部と、
前記収納部に収納されている記録媒体のうち、前記原稿厚検出部によって検出された厚さに応じた厚さの記録媒体を選択する媒体選択部とを備え、
前記複写部が、前記媒体選択部によって選択された記録媒体に画像を複写するものであることを特徴とする請求項１から４のうちいずれか１項記載の複写機。
【請求項６】
前記収納部が、各々に記録媒体が収納される複数の収納箇所を有するものであり、
前記収納部の前記収納箇所に記録媒体が収納された際に該記録媒体の厚さを検出する媒体厚検出部と、
前記媒体厚検出部によって検出された記録媒体の厚さを、該記録媒体が収納された収納箇所に対応付けて記憶する媒体厚記憶部とを備え、
前記媒体選択部が、前記媒体厚記憶部に記憶されている厚さのうち、前記原稿厚検出部によって検出された厚さに最も近い厚さに対応付けられている収納箇所を選択することにより、該収納箇所に収納されている記録媒体を選択するものであり、
前記複写部が、前記媒体選択部によって選択された収納箇所に収納されている記録媒体を用いて画像を複写するものであることを特徴とする請求項５記載の複写機。
【請求項７】
前記複写部が、画像を複写する複写動作を規定した動作パラメータを設定されて、該動作パラメータが規定した複写動作で画像を複写するものであり、
前記原稿厚検出部によって検出された厚さに応じた動作パラメータを前記複写部に設定するパラメータ設定部を備えたことを特徴とする請求項１から６のうちいずれか１項記載の複写機。
【請求項８】
前記複写部で用いられる記録媒体の厚さを検出し、前記原稿厚検出部によって検出された原稿の厚さとの差を確認する厚さ差確認部と、
前記厚さ差確認部によって確認された差が所定程度を越えている場合に警告を発する警告部とを備えたことを特徴とする請求項１から７のうちいずれか１項記載の複写機。
【請求項９】
前記原稿の光沢度を検出する光沢度検出部と、
複数種類の光沢度の記録媒体を収納した収納部と、
前記収納部に収納されている記録媒体のうち、前記光沢度検出部によって検出された光沢度に応じた光沢度の記録媒体を選択する媒体選択部とを備え、
前記複写部が、前記媒体選択部によって選択された記録媒体に画像を複写するものであることを特徴とする請求項１から８のうちいずれか１項記載の複写機。
【請求項１０】
前記原稿の地色を検出する地色検出部と、
複数種類の地色の記録媒体を収納した収納部と、
前記収納部に収納されている記録媒体のうち、前記地色検出部によって検出された地色に応じた地色の記録媒体を選択する媒体選択部とを備え、
前記複写部が、前記媒体選択部によって選択された記録媒体に画像を複写するものであることを特徴とする請求項１から９のうちいずれか１項記載の複写機。
【請求項１１】
前記原稿の綴じ孔を検出する綴じ孔検出部と、
前記綴じ孔検出部によって綴じ孔が検出された場合に、前記複写部で画像が複写された記録媒体に綴じ孔を空ける綴じ孔加工部とを備えたことを特徴とする請求項１から１０のうちいずれか１項記載の複写機。
【請求項１２】
前記綴じ孔検出部が、前記綴じ孔の位置も検出するものであり、
前記綴じ孔加工部が、前記綴じ孔検出部で検出された位置に応じた位置に綴じ孔を空けるものであることを特徴とする請求項１１記載の複写機。
【請求項１３】
前記原稿の綴じ孔を検出する綴じ孔検出部と、
前記綴じ孔が空いている種類と該綴じ孔が無い種類とを含んだ複数種類の記録媒体を収納した収納部と、
前記綴じ孔検出部によって綴じ孔が検出されたか否かに応じて、それぞれ、前記収納部に収納されている記録媒体のうち、前記綴じ孔が空いている種類、あるいは該綴じ孔が無い種類の記録媒体を選択する媒体選択部とを備え、
前記複写部が、前記媒体選択部によって選択された記録媒体に画像を複写するものであることを特徴とする請求項１から１０のうちいずれか１項記載の複写機。
【発明の詳細な説明】
【技術分野】
【０００１】
本発明は、原稿の画像を読み取り、読み取られた画像を記録媒体に複写する複写機に関する。
【背景技術】
【０００２】
従来より、原稿の画像を読み取り、読み取られた画像を記録媒体に複写する複写機が知られている。
【０００３】
また、原稿の大きさを検出するとともに原稿の画像を読み取り、検出された大きさと同一の大きさの記録媒体を選択し、読み取られた画像を選択された記録媒体に複写する複写機も知られている。このような複写機によれば、原稿の画像を複写するにあたって、検出された大きさと同一の大きさの記録媒体に原稿の画像が再現される。
【０００４】
また、原稿の１枚目や最終枚目の複写時は他の原稿複写とは別の表紙用給紙手段から給紙する表紙モードを備え、この表紙モードにおいて、表紙用給紙手段に収納されている記録媒体と同一サイズの記録媒体が収納されている複数の給紙手段のうちの、給紙経路の最も短い給紙手段を優先選択するように構成された複写機もある（例えば、特許文献１参照。）。このような複写機によれば、原稿の１枚目や最終枚目が表表紙や裏表紙として再現されるとともに、複写の生産性向上が図られる。
【０００５】
また、複写機の中には、原稿が載せられるコンタクトガラスの下方に、パンチ・ステイプル位置をコンタクトガラスを通して明示する光源を設け、明示されたパンチ・ステイプル位置に対応する、記録媒体の位置に、孔あけおよび綴じ込みの一方または両方を実行する複写機もある（例えば、特許文献２参照。）。このような複写機によれば、操作者が原稿のパンチ・ステイプル位置を光で明示された位置に合わせて原稿をセットして複写動作指示を与えることによって、自動的に孔あけおよび綴じ込みの一方または両方が実行され、原稿のパンチ・ステイプル位置が再現される。
【特許文献１】特開平４−１２３０７２号公報
【特許文献２】特開昭６２−３２４７２号公報
【発明の開示】
【発明が解決しようとする課題】
【０００６】
近年、原稿をより忠実に再現することのできる複写機が求められている。
【０００７】
本発明は、上記事情に鑑み、原稿をより忠実に再現することのできる複写機を提供することを目的とするものである。
【課題を解決するための手段】
【０００８】
上記目的を達成する本発明の複写機は、
原稿の画像を読み取る画像読取部と、
上記画像読取部によって読み取られた画像を記録媒体に複写する複写部と、
上記複写部による画像の複写に先だって上記原稿の厚さを検出する原稿厚検出部とを備えたことを特徴とする。
【０００９】
本発明の複写機は、原稿の画像を読み取る画像読取部によって読み取られた画像の記録媒体への複写に先だってその原稿の厚さを検出するものである。この検出された原稿の厚さは、原稿をより忠実に再現するにあたって、重要な要素であり、例えば、原稿と同じ厚さの記録媒体を用いた複写や両面原稿の裏写りを避けた複写等に有用な要素である。本発明の複写機によれば、そのような重要な要素を検出することができるので、その要素を原稿の忠実な再現に利用することができる。
最小限となるように上記画像読取部を制御するといった対処が可能である。
【００１０】
ここで、本発明の複写機は、
「上記原稿が載せられ、その載せられた原稿の画像が上記画像読取部によって読み取られる読取台と、
上記読取台の、上記原稿が載る載置場所を覆う閉状態と、その載置場所を開放する開状態との間で開閉自在な原稿蓋とを備え、
上記原稿厚検出部が、上記原稿蓋に設けられこの原稿蓋が閉状態のときに上記読取台との間に上記原稿を挟む検出器を有し、この検出器でその原稿の厚さを検出するものである」
ことが好ましい。
【００１１】
このような好ましい形態によれば、上記読取台に原稿を載せて上記原稿蓋を閉状態とすることにより、上記検出器でその原稿の厚さが検出されるため、操作性に優れる。
【００１２】
また、上記読取台と上記原稿蓋とを備えた本発明の複写機は、上記原稿厚検出部が、互いに同型の複数の検出器を有し、それら複数の検出器の一部の検出器は上記読取台との間に上記原稿を挟んでこの原稿の厚さを検出し、それら複数の検出器の他の一部の検出器は上記読取台に直接押し付けられて参照用に用いられるものであることがさらに好ましい。
【００１３】
このような好ましい形態によれば、互いに同型の複数の検出器のうちの、上記読取台に直接押し付けられて参照用に用いられる検出器によって、厚さ検出時における、その読取台との間に上記原稿が挟まれていないゼロ点が認識されるため、上記読取台との間に原稿を挟んでこの原稿の厚さを検出する検出器は、そのゼロ点を参照することにより、周囲温度等の影響に左右されることなく、原稿の正確な厚さを検出することができる。
【００１４】
また、本発明の複写機は、
「上記原稿が積まれる原稿台と、
上記原稿台に積まれた原稿を所定の搬送経路に一枚ずつ送り出して搬送する、その搬送経路上で原稿の画像が上記画像読取部によって読み取られる搬送部とを備え、
上記原稿厚検出部が、上記搬送経路上に設けられた検出器を有し、この検出器で、その搬送経路を搬送される原稿の厚さを検出するものである」
ことも好ましい形態である。
【００１５】
このような好ましい形態によれば、上記搬送部によって所定の搬送経路に一枚ずつ送り出されてその搬送経路を搬送される原稿の厚さが、その搬送経路上に設けられた検出器で検出されるため、操作性に優れる。
【００１６】
また、本発明の複写機は、
「複数種類の厚さの記録媒体を収納した収納部と、
上記収納部に収納されている記録媒体のうち、上記原稿厚検出部によって検出された厚さに応じた厚さの記録媒体を選択する媒体選択部とを備え、
上記複写部が、上記媒体選択部によって選択された記録媒体に画像を複写するものである」
ことも好ましい形態である。
【００１７】
このような好ましい形態によれば、上記原稿厚検出部によって検出された厚さに応じた厚さの記録媒体に画像が複写されるため、原稿の画像をより忠実に再現した画像を得ることができる。
【００１８】
また、上記収納部と上記媒体選択部とを備えた本発明の複写機は、
「上記収納部が、各々に記録媒体が収納される複数の収納箇所を有するものであり、
上記収納部の上記収納箇所に記録媒体が収納された際にその記録媒体の厚さを検出する媒体厚検出部と、
上記媒体厚検出部によって検出された記録媒体の厚さを、この記録媒体が収納された収納箇所に対応付けて記憶する媒体厚記憶部とを備え、
上記媒体選択部が、上記媒体厚記憶部に記憶されている厚さのうち、上記原稿厚検出部によって検出された厚さに最も近い厚さに対応付けられている収納箇所を選択することにより、その収納箇所に収納されている記録媒体を選択するものであり、
上記複写部が、上記媒体選択部によって選択された収納箇所に収納されている記録媒体を用いて画像を複写するものである」
ことがさらに好ましい。
【００１９】
このような好ましい形態によれば、記録媒体の厚さを登録する手間が不要で使い勝手がよい。また、厚手の原稿の画像は厚手の記録媒体に複写され、薄手の原稿の画像は薄手の記録媒体に複写されることとなるため、原稿をより忠実に再現することができる。
【００２０】
また、本発明の複写機は、
「上記複写部が、画像を複写する複写動作を規定した動作パラメータを設定されて、この動作パラメータが規定した複写動作で画像を複写するものであり、
上記原稿厚検出部によって検出された厚さに応じた動作パラメータを上記複写部に設定するパラメータ設定部を備えた」
ことが好ましい。
【００２１】
このような好ましい形態によれば、上記パラメータ設定部により動作パラメータとして転写電流値や定着器の通過速度等を設定し、例えば記録媒体として厚手の記録媒体を用いる場合には、転写電流値を増加したり、定着器の通過速度を低下させたりすることで、原稿の画像を忠実に再現した高品位な複写画像を得ることができる。
【００２２】
また、本発明の複写機は、
「上記複写部で用いられる記録媒体の厚さを検出し、上記原稿厚検出部によって検出された原稿の厚さとの差を確認する厚さ差確認部と、
上記厚さ差確認部によって確認された差が所定程度を越えている場合に警告を発する警告部とを備えた」
という形態も好ましい。
【００２３】
このような好ましい形態によれば、例えば、ユーザが、上記警告部により発せられた警告に基づいて原稿と同等の厚さの記録媒体を用意するなどといった対処をとることができる。
【００２４】
また、本発明の複写機は、
「上記原稿の光沢度を検出する光沢度検出部と、
複数種類の光沢度の記録媒体を収納した収納部と、
上記収納部に収納されている記録媒体のうち、上記光沢度検出部によって検出された光沢度に応じた光沢度の記録媒体を選択する媒体選択部とを備え、
上記複写部が、上記媒体選択部によって選択された記録媒体に画像を複写するものである」
ことも好ましい形態である。
【００２５】
このような好ましい形態によれば、上記原稿厚検出部による原稿の厚さ検出に加えて、上記光沢度検出部によって原稿の光沢度も検出され、検出された原稿の光沢度も反映された複写が行われるため、原稿をより一層忠実に再現した複写を実現することができる。
【００２６】
また、本発明の複写機は、
「上記原稿の地色を検出する地色検出部と、
複数種類の地色の記録媒体を収納した収納部と、
上記収納部に収納されている記録媒体のうち、上記地色検出部によって検出された地色に応じた地色の記録媒体を選択する媒体選択部とを備え、
上記複写部が、上記媒体選択部によって選択された記録媒体に画像を複写するものである」
ことも好ましい形態である。
【００２７】
このような好ましい形態によれば、上記原稿厚検出部による原稿の厚さ検出に加えて、上記地色検出部によって原稿の地色も検出され、検出された原稿の地色も反映された複写が行われるため、原稿をより一層忠実に再現した複写を実現することができる。
【００２８】
また、本発明の複写機は、
「上記原稿の綴じ孔を検出する綴じ孔検出部と、
上記綴じ孔検出部によって綴じ孔が検出された場合に、上記複写部で画像が複写された記録媒体に綴じ孔を空ける綴じ孔加工部とを備えた」
ことも好ましい形態である。
【００２９】
このような好ましい形態によれば、上記原稿厚検出部による原稿の厚さ検出に加えて、上記綴じ孔検出部によって綴じ孔が検出された場合に、上記複写部で画像が複写された記録媒体に綴じ孔が空けられるため、原稿がより忠実に再現される。
【００３０】
また、本発明の複写機は、
「上記綴じ孔検出部が、上記綴じ孔の位置も検出するものであり、
上記綴じ孔加工部が、上記綴じ孔検出部で検出された位置に応じた位置に綴じ孔を空けるものである」
という形態も好ましい。
【００３１】
このような綴じ孔加工部を備えた複写機によれば、上記複写部で画像が複写された記録媒体に、原稿の綴じ孔がより忠実に再現される。
【００３２】
さらに、本発明の複写機は、
「上記原稿の綴じ孔を検出する綴じ孔検出部と、
上記綴じ孔が空いている種類とその綴じ孔が無い種類とを含んだ複数種類の記録媒体を収納した収納部と、
上記綴じ孔検出部によって綴じ孔が検出されたか否かに応じて、それぞれ、上記収納部に収納されている記録媒体のうち、上記綴じ孔が空いている種類、あるいはその綴じ孔が無い種類の記録媒体を選択する媒体選択部とを備え、
上記複写部が、上記媒体選択部によって選択された記録媒体に画像を複写するものである」
ことも好ましい形態である。
【００３３】
このような好ましい形態によれば、上記綴じ孔検出部によって綴じ孔が検出された場合には上記綴じ孔が空いている種類の記録媒体に画像が複写され、上記綴じ孔検出部によって綴じ孔が検出されなかった場合には上記綴じ孔が無い種類の記録媒体に画像が複写されるため、綴じ孔を加工する機構を備えていなくても原稿がより忠実に再現される。
【発明の効果】
【００３４】
本発明によれば、原稿をより忠実に再現することのできる複写機が提供される。
【発明を実施するための最良の形態】
【００３５】
以下、図面を参照して本発明の実施の形態を説明する。
【００３６】
図１は、本発明の第１実施形態の概略構成図である。
【００３７】
図１に示すように、複写機１００は、筐体３０と、筐体３０の上部に配備され原稿２００が載せられるプラテンガラス３３と、このプラテンガラス３３を覆う閉状態とこのプラテンガラス３３を解放する開状態との間で開閉自在な原稿蓋２とを備えている。このプラテンガラス３３は、本発明にいう読取台の一例に相当するものであり、この原稿蓋２は、本発明にいう原稿蓋の一例に相当するものである。
【００３８】
また、図１に示すように、この複写機１００の原稿蓋２の、上記閉状態でプラテンガラス３３と対向する部分には、原稿２００の綴じ孔の有無および綴じ孔が検出された場合には綴じ孔の位置を検出する綴じ孔検出センサ２３１と、原稿２００の光沢度および地色を検出する光沢度地色検出センサ２３２と、原稿蓋２が閉状態のときにプラテンガラス３３との間に原稿２００を挟んでこの原稿２００の厚さを検出する第１原稿厚検出センサ２３３と、プラテンガラス３３に直接押し付けられて参照用に用いられる、第１原稿厚検出センサ２３３と同型の第２原稿厚検出センサ２３４とが備えられている。
【００３９】
ここで、図２〜図４は、図１に示す原稿蓋２の、プラテンガラス３３を覆う部分の概略構成図であって、図２は、原稿２００が載せられたプラテンガラス３３を覆う閉状態で第１原稿厚検出センサ２３３および第２原稿厚検出センサ２３４による原稿２００の厚さを検出する様子を示す図であり、図３は、原稿２００が載せられたプラテンガラス３３を解放する開状態を示す図であり、図４は、原稿２００が載せられたプラテンガラス３３を原稿蓋２が覆う閉状態を上から見た図である。また、図５は、図２〜図４に示す第１原稿厚検出センサ２３３の拡大図である。尚、図２〜図４では、綴じ孔検出センサ２３１および光沢度地色検出センサ２３２の図示を省略している。
【００４０】
第１原稿厚検出センサ２３３および第２原稿厚検出センサ２３４は、磁気角度センサであって、第２原稿厚検出センサ２３４による検出値を基準として、第１原稿厚検出センサ２３３によって原稿２００の厚さを検出している。この第１原稿厚検出センサ２３３および第２原稿厚検出センサ２３４は、それぞれ先端に検出部２３３１ａ，２３４１ａを有するアーム部２３３１，２３４１を備えており、原稿蓋２を図２に示す閉状態から図３に示す開状態にすると、そのアーム部２３３１，２３４１が持ち上がるように構成されている。また、図５に示すように、検出部２３３１ａ，２３４１ａの周囲には、光漏れ防止マイラ２３３２，２３４２が設けられており、原稿２００の画像を読み取る際に後述する光源３１１から照射された光が漏れることが防止されている。
【００４１】
ここで、図６は、図１に示す原稿蓋２の、プラテンガラス３３を覆う部分の概略構成図であって、原稿２００が載せられたプラテンガラス３３を覆う閉状態で光沢度地色検出センサ２３２による原稿２００の光沢度および地色を検出する様子を示す図である。尚、図６では、光沢度地色検出センサ２３２、第１原稿厚検出センサ２３３、および第２原稿厚検出センサ２３４の図示を省略している。
【００４２】
光沢度地色検出センサ２３２は、反射型のフォトインタラプタであって、図６に示すように、原稿２００で反射してきた反射光に基づいて光沢度および地色を検出している。この光沢度地色検出センサ２３２は、本発明にいう光沢度検出部および地色検出部の一例に相当するものである。
【００４３】
ここで、図７は、図１に示す原稿蓋２の、プラテンガラス３３を覆う部分の概略構成図であって、原稿２００が載せられたプラテンガラス３３を覆う閉状態で綴じ孔検出センサ２３１による原稿２００の綴じ孔の有無および綴じ孔が検出された場合には綴じ孔の位置を検出する様子を示す図である。尚、図７では、綴じ孔検出センサ２３１、第１原稿厚検出センサ２３３、および第２原稿厚検出センサ２３４の図示を省略している。
【００４４】
綴じ孔検出センサ２３１は、受光素子であって、図７に示すように、後述する光源３１１から照射された光が綴じ孔検出センサ２３１に届くか否かによって綴じ孔の有無や綴じ孔の位置を検出している。この綴じ孔検出センサ２３１は、本発明にいう綴じ孔検出部の一例に相当するものである。
【００４５】
第１実施形態の複写機１００によれば、プラテンガラス３３に原稿２００を載せて原稿蓋２を閉状態とすることにより、綴じ孔検出センサ２３１、光沢度地色検出センサ２３２、第１原稿厚検出センサ２３３、および第２原稿厚検出センサ２３４で、その原稿２００の綴じ孔の有無や綴じ孔の位置や光沢度や地色や厚さが検出されるため、操作性に優れる。また、互いに同型の第１原稿厚検出センサ２３３および第２原稿厚検出センサ２３４のうちの、プラテンガラス３３に直接押し付けられて参照用に用いられる第２原稿厚検出センサ２３４によって、厚さ検出時における、そのプラテンガラス３３との間に原稿２００が挟まれていないゼロ点が認識されるため、プラテンガラス３３との間に原稿２００を挟んでこの原稿２００の厚さを検出する第１原稿厚検出センサ２３３は、そのゼロ点を参照することにより、周囲温度等の影響に左右されることなく、原稿２００の正確な厚さを検出することができる。
【００４６】
ここで、図８は、図１に示す原稿蓋２に備えられた自動原稿搬送器２０の概略構成図である。
【００４７】
図１，図８に示すように、この複写機１００の原稿蓋２には、１枚もしくは複数枚の原稿２００が積まれる原稿台２１と、原稿台２１に積まれた原稿２００を搬送経路２２ａに１枚ずつ送り出してその搬送経路２２ａに沿って搬送する搬送部２２とを有する自動原稿搬送器２０が備えられている。この原稿台２１は、本発明にいう原稿台の一例に相当するものであり、この搬送部２２は、本発明にいう搬送部の一例に相当するものである。また、図１に示すように、この複写機１００は、筐体３０上部のプラテンガラス３３に隣接する位置、かつ自動原稿搬送器２０によって搬送されてきた原稿２００と対向する位置にコンタクトガラス３４を備えている。尚、自動原稿搬送器２０の搬送経路２２ａに沿って搬送された原稿２００は、原稿蓋２の上面の一部２ａに排出されるようになっている。
【００４８】
この自動原稿搬送器２０の搬送部２２は、原稿台２１に載せられた原稿２００を搬送経路２２ａに１枚ずつ送り出す送出ロール２２１と、表裏面に画像が記録された原稿２００の読取りの際に、搬送経路２２ａに沿った搬送がなされ、表裏面の内の一方の面の読取りが終了した原稿２００のもう一方の面の画像を読み取るために原稿２００の表裏を反転するための反転搬送経路２２ｂと、搬送経路２２ａに沿った原稿２００の搬送を行う搬送ロール２２２と、原稿２００を原稿蓋２の上面の一部２ａに排出する際と搬送経路２２ａに沿った搬送を終えた原稿２００を反転搬送経路２２ｂに引き込んで反転させる際とで正逆自在に駆動する駆動ロール２２３と、反転搬送経路２２ｂに沿った原稿２００の搬送を行う搬送ロール２２４と、搬送経路２２ａ上に設けられ、搬送経路２２ａを搬送される原稿２００の厚さを検出する原稿厚検出センサ２２５と、搬送経路２２ａ上に設けられ、搬送経路２２ａを搬送される原稿２００の光沢度および地色を検出する光沢度地色検出センサ２２６とから構成されている。尚、この原稿厚検出センサ２２５は、上述した第１原稿厚検出センサ２３３や第２原稿厚検出センサ２３４と同型のものであり、この光沢度地色検出センサ２２６は、上述した光沢度地色検出センサ２３２と同型のものである。また、図８には、コンタクトガラス３４を保持すると共に搬送経路２２ａに沿って搬送されてくる原稿２００の、原稿蓋２の上面の一部２ａへの排出を補助するための搬送ガイド３５が示されている。
【００４９】
この光沢度地色検出センサ２２６は、本発明にいう光沢度検出部および地色検出部の一例に相当するものである。また、上述した第１原稿厚検出センサ２３３、第２原稿厚検出センサ２３４、およびこの原稿厚検出センサ２２５の組み合わせは、本発明にいう原稿厚検出部の一例に相当するものであり、この第１原稿厚検出センサ２３３、第２原稿厚検出センサ２３４、および原稿厚検出センサ２２５のそれぞれは、本発明にいう検出器の一例に相当するものである。
【００５０】
第１実施形態の複写機１００によれば、搬送部２２によって搬送経路２２ａに１枚ずつ送り出されてその搬送経路２２ａを搬送される原稿２００の厚さや光沢度や地色が、その搬送経路２２ａ上に設けられた原稿厚検出センサ２２５および光沢度地色検出センサ２２６で検出されるため、操作性に優れる。
【００５１】
また、図１に示すように、この複写機１００は、筐体３０の内部に、プラテンガラス３３に載せられた原稿２００の画像、あるいは自動原稿搬送器２０の搬送部２２によって搬送されてきた原稿２００の画像を読み取る画像読取部３１と、画像読取部３１からの原稿画像を表す画像信号を受信すると共に画像読取部３１の動作を制御する読取制御部３２とを有する画像読取器３を備えている。この画像読取部３１は、本発明にいう画像読取部の一例に相当するものである。
【００５２】
画像読取部３１は、図１における手前側から奥側にかけて延在して配備され原稿２００に向けて光を照射する光源３１１と、原稿２００で反射してきた反射光を水平方向に向けさせるミラー３１２と、ミラー３１２によって水平方向に向けられた反射光の向きを逆向きにするミラーユニット３１３と、ミラーユニット３１３からの反射光を結像させるレンズ３１４と、レンズ３１４により結像された光像を受像し画像信号を読取制御部３２に出力する受像センサ３１５とから構成されている。
【００５３】
プラテンガラス３３に載せられた原稿２００の画像を画像読取部３１を用いて読み取る際には、画像読取部３１の光源３１１やミラーユニット３１３等を筐体３０内で走査させながらプラテンガラス３３越しに原稿２００に向けて光を照射し、原稿２００からの反射光を受像センサ３１５上に結像させることで画像信号を得ている。尚、画像読取部３１の構成要素の走査は、読取制御部３２によって制御されている。
【００５４】
また、自動原稿搬送器２０の搬送部２２によって原稿台２１から１枚ずつ送り出されて搬送経路２２ａに沿って搬送されてくる原稿２００がコンタクトガラス３４上を通過する、その原稿２００の画像を画像読取部３１を用いて読み取る際には、画像読取部３１の光源３１１やミラーユニット３１３等を図１に示す状態に静止させたままで、コンタクトガラス３４越しに、通過する原稿２００に向けて光を照射し、原稿２００からの反射光を受像センサ３１５上に結像させることで画像信号を得ている。
【００５５】
図１に示す複写機１００は、筐体３０の内部に、読取制御部３２で受信した画像信号に基づいた画像形成を行って原稿２００の画像を記録媒体４００に複写する複写部４を備えている。この複写部４は、本発明にいう複写部の一例に相当するものである。
【００５６】
この複写部４は、図１に示すように、感光体４１と、感光体４１の表面に、読取制御部３２で受信した画像信号に基づいた露光光４２１を照射することで静電潜像を形成する露光器４２と、感光体４１の表面に形成された静電潜像をトナーで現像する現像器４３と、記録媒体４００が収納される４つの給紙トレイ４６１，４６２，４６３，４６４とを備えている。なお、本実施形態では、記録媒体４００として、４つの給紙トレイ４６１，４６２，４６３，４６４のうちの最上段に配備された給紙トレイ４６１には厚手普通紙４０１が収納され、給紙トレイ４６１の下段に配備された給紙トレイ４６２には薄手普通紙４０２が収納され、給紙トレイ４６２の下段に配備された給紙トレイ４６３にはコート紙４０３が収納され、給紙トレイ４６３の下段に配備された最下段の給紙トレイ４６４には綴じ孔が空いている孔空き紙４０４が収納されている。この給紙トレイ４６１，４６２，４６３，４６４の組み合わせは、本発明にいう収納部の一例に相当するものであり、この給紙トレイ４６１，４６２，４６３，４６４のそれぞれは、本発明にいう収納箇所の一例に相当するものである。また、この複写部４は、第１搬送経路４７１上の、４つの給紙トレイ４６１，４６２，４６３，４６４それぞれに隣接する位置に１つずつ設けられ、第１搬送経路４７１に送り出された記録媒体４００の重送を検出する超音波重送センサ５２と、第１搬送経路４７１上の、超音波重送センサ５２に隣接する搬送方向下流側に１つずつ設けられ、第１搬送経路４７１に送り出された記録媒体４００の厚さを検出する媒体厚検出センサ５３と、媒体厚検出センサ５３によって検出された記録媒体４００の厚さを、この記録媒体４００が収納された給紙トレイに対応付けて記憶する媒体厚記憶部５４とを備えている。尚、超音波重送センサ５２および媒体厚検出センサ５３による検出は、記録媒体４００が給紙トレイ４６１，４６２，４６３，４６４に新たに収納された際に行われる。具体的には、新たに収納された記録媒体４００のうちの１枚が、媒体厚検出センサ５３が設けられた位置まで一旦送り出され、超音波重送センサ５２による重送検出と媒体厚検出センサ５３による厚さ検出を受けた後に、その記録媒体４００が収納されていた給紙トレイに差し戻される。この媒体厚検出センサ５３は、本発明にいう媒体厚検出部の一例に相当するものであり、この媒体厚記憶部５４は、本発明にいう媒体厚記憶部の一例に相当するものである。また、この複写部４は、４つの給紙トレイ４６１，４６２，４６３，４６４に収納されている記録媒体４００の中で、媒体厚記憶部５４に記憶されている厚さのうち、第１原稿厚検出センサ２３３あるいは原稿厚検出センサ２２５によって検出された厚さに最も近い厚さに対応付けられている給紙トレイに収納されている記録媒体４００、あるいは光沢度地色検出センサ２３２によって検出された光沢度に応じた光沢度の記録媒体、あるいは光沢度地色検出センサ２３２によって検出された地色に応じた地色の記録媒体、あるいは綴じ孔検出センサ２３１によって綴じ孔が検出されたか否かに応じた綴じ孔が空いている種類あるいは綴じ孔が無い種類の記録媒体の、いずれかの記録媒体を、予めユーザにより設定された優先順位に従って選択する媒体選択部４６を備えている。そのため、記録媒体の厚さを登録する手間が不要で使い勝手がよい。この媒体選択部４６は、本発明にいう媒体選択部の一例に相当するものである。また、この複写部４は、媒体選択部４６によって選択された記録媒体が収納されている給紙トレイから搬送されてきた記録媒体に感光体４１の表面に形成されたトナー像を転写する転写ロール４４と、記録媒体４００上に転写されたトナー像を記録媒体４００に定着させる定着器４５と、記録媒体４００を給紙トレイ４６１，４６２，４６３，４６４から感光体４１に向けて搬送するための第１搬送経路４７１と、定着器４５によるトナー像の定着を終えた記録媒体４００を、表裏面を反転させて再び感光体４１に向けて搬送するための第２搬送経路４７２とを備えている。さらに、この複写部４は、第１搬送経路４７１上に設けられ、第１搬送経路４７１を搬送される記録媒体４００の厚さを検出し、第１原稿厚検出センサ２３３あるいは原稿厚検出センサ２２５によって検出された原稿２００の厚さとの差を確認する厚さ差確認部４８と、画像を複写する複写動作を規定した動作パラメータを設定されて、この動作パラメータが規定した複写動作を制御する複写制御部４９と、第１原稿厚検出センサ２３３あるいは原稿厚検出センサ２２５によって検出された原稿２００の厚さや光沢度地色検出センサ２３２によって検出された原稿２００の光沢度や光沢度地色検出センサ２３２によって検出された原稿２００の地色に応じた動作パラメータを複写制御部４９に設定するパラメータ設定部５０と、厚さ差確認部４８によって確認された差が所定程度を越えている場合に警告を発する警告部５１とを備えている。この厚さ差確認部４８は、本発明にいう厚さ差確認部の一例に相当するものであり、この警告部５１は、本発明にいう警告部の一例に相当するものである。また、このパラメータ設定部５０は、本発明にいうパラメータ設定部の一例に相当するものである。
【００５７】
第１実施形態の複写機１００によれば、例えば、ユーザが、警告部５１により発せられた警告に基づいて原稿２００と同等の厚さの記録媒体を用意するなどといった対処をとることができる。
【００５８】
パラメータ設定部５０は、動作パラメータとして転写電流値や記録媒体４００が定着器４５を通過する速度等を複写制御部４９に設定するものであり、例えば、第１原稿厚検出センサ２３３あるいは原稿厚検出センサ２２５によって原稿２００の厚さが厚手普通紙４０１と同等の厚さであると検出され、予めユーザにより設定された優先順位に従って記録媒体４００として厚手普通紙４０１を用いる場合には、転写電流値を増加したり記録媒体の通過速度を低下させたりする。また、例えば、光沢度地色検出センサ２３２によって原稿２００がコート紙であると検出され、予めユーザにより設定された優先順位に従って記録媒体４００としてコート紙４０３を用いる場合に、コート紙に最適な濃度の濃度設定パラメータを複写制御部４９に設定する。また、例えば、光沢度地色検出センサ２３２によって原稿２００がカラー紙であると検出された場合には、予めユーザにより設定された優先順位に従って画像処理を施して最適な色となるような色設定パラメータを複写制御部４９に設定する。また、例えば、原稿２００の両面に画像が記録されている場合に、第１原稿厚検出センサ２３３あるいは原稿厚検出センサ２２５により検出された原稿２００の厚さに応じて、裏写りが最小限となるような動作パラメータを複写制御部４９に設定する。
【００５９】
第１実施形態の複写機１００によれば、パラメータ設定部５０により設定された動作パラメータが規定した複写動作で、原稿の画像を忠実に再現した高品位な複写画像を得ることができる。
【００６０】
また、この複写機１００には、図１に示すように、筐体３０に連結された後処理装置６０が備えられており、この後処理装置６０には、排出された記録媒体４００が積載される排出トレイ７０が取り付けられている。
【００６１】
この後処理装置６０は、綴じ孔検出センサ２３１によって綴じ孔と綴じ孔の位置が検出され、かつ予めユーザにより設定された優先順位に従って媒体選択部４６で綴じ孔が無い種類の記録媒体が選択された場合に、複写部４で画像が複写された記録媒体４００の、綴じ孔検出センサ２３１で検出された位置に応じた位置に綴じ孔を空ける綴じ孔加工部６１と、綴じ孔加工部６１の動作を制御する綴じ孔加工制御部６２とを有する。この綴じ孔加工部６１は、本発明にいう綴じ孔加工部の一例に相当するものである。そのため、複写部４で画像が複写された記録媒体４００に、原稿２００の綴じ孔がより忠実に再現される。また、複写後にユーザが記録媒体４００に綴じ孔を空けるといった手間が省かれる。
【００６２】
第１実施形態の複写機１００は、原稿２００の画像を読み取る画像読取部３１によって読み取られた画像の記録媒体４００への複写に先だって、第１原稿厚検出センサ２３３あるいは原稿厚検出センサ２２５で原稿２００の厚さを検出し、予めユーザにより設定された優先順位に従って、４つの給紙トレイ４６１，４６２，４６３，４６４に収納されている記録媒体４００の中で、媒体厚記憶部５４に記憶されている厚さのうち、検出された厚さに最も近い厚さに対応付けられている給紙トレイに収納されている記録媒体４００を選択して、この記録媒体４００に原稿２００の画像を複写するものであるため、原稿２００の画像をより忠実に再現した画像を得ることができる。
【００６３】
また、第１実施形態の複写機１００は、第１原稿厚検出センサ２３３あるいは原稿厚検出センサ２２５による原稿２００の厚さ検出に加えて、綴じ孔検出センサ２３１による原稿２００の綴じ孔の有無および綴じ孔検出や、光沢度地色検出センサ２３２あるいは光沢度地色検出センサ２２６による原稿２００の光沢度検出や地色検出も行われるものであり、予めユーザにより設定された優先順位に従って、検出された綴じ孔や光沢度や地色も反映された複写を行うため、原稿２００のをより一層忠実に再現した複写を実現することができる。
【００６４】
以上で、本発明の第１実施形態の説明を終了し、本発明の第２実施形態について説明する。
【００６５】
尚、以下説明する第２実施形態は、上述した第１実施形態の複写機１００における原稿蓋２に設けられた光沢度地色検出センサ２３２を、この光沢度地色検出センサ２３２とは異なる位置に配備された光沢度地色検出センサ３６１，３６２に置き換えたものである。
【００６６】
以下、第１実施形態における要素と同じ要素については同じ符号を付して説明を省略し、第１実施形態との相違点についてのみ説明する。
【００６７】
図９は、第２実施形態における、原稿２００が載せられたプラテンガラス３３を解放する開状態を示す図であり、図１０は、図９に示す開状態を横から見た図である。尚、図９，図１０では、原稿蓋の図示を省略している。
【００６８】
図９，図１０に示すように、プラテンガラス３３の脇に、原稿２００の一部分を例えば５ｍｍ程度差し込む原稿差込ガイド３６が設けられており、この原稿差込ガイド３６の上部分３６ａおよび下部分３６ｂそれぞれに、原稿２００の光沢度および地色を検出する一対の光沢度地色検出センサ３６１，３６２が備えられている。この光沢度地色検出センサ３６１，３６２は、本発明にいう光沢度検出部および地色検出部の一例に相当するものである。
【００６９】
第２実施形態の複写機によれば、一対の光沢度地色検出センサ３６１，３６２によって、原稿２００の表裏面双方に対して光沢度および地色の検出が可能であるため、表裏面の光沢度や地色が異なる原稿にも対応可能である。また、原稿差込ガイド３６が原稿２００押さえも兼ねるため、プラテンガラス３３上での原稿２００の位置ずれが防止される。
【００７０】
以上で、本発明の第２実施形態の説明を終了し、本発明の第３実施形態について説明する。
【００７１】
尚、以下説明する第３実施形態は、上述した第１実施形態の複写機１００における原稿蓋２に設けられた綴じ孔検出センサ２３１を、この綴じ孔検出センサ２３１とは異なる位置に配備された綴じ孔検出センサ３７１，３７２に置き換えたものである。
【００７２】
以下、第１実施形態における要素と同じ要素については同じ符号を付して説明を省略し、第１実施形態との相違点についてのみ説明する。
【００７３】
図１１は、第３実施形態における、原稿２００が載せられたプラテンガラス３３を解放する開状態を示す図であり、図１２は、図１１に示す開状態を横から見た図である。尚、図１１，図１２では、原稿蓋の図示を省略している。
【００７４】
図９，図１０に示すように、プラテンガラス３３の脇に、原稿２００の一部分を例えば１０ｍｍ程度差し込む原稿差込ガイド３７が設けられており、この原稿差込ガイド３７の上部分３７ａおよび下部分３７ｂそれぞれに、原稿２００の綴じ孔の有無および綴じ孔が検出された場合には綴じ孔の位置を検出する一対の綴じ孔検出センサ３７１，３７２が備えられている。この綴じ孔検出センサ３７１，３７２は、本発明にいう綴じ孔検出部の一例に相当するものである。
【００７５】
第３実施形態の複写機によれば、原稿差込ガイド３７が原稿２００押さえも兼ねるため、プラテンガラス３３上での原稿２００の位置ずれが防止される。
【００７６】
以上で、本発明の第３実施形態の説明を終了し、本発明の第４実施形態について説明する。
【００７７】
尚、以下説明する第４実施形態は、上述した第１実施形態の複写機１００における原稿蓋２に設けられた綴じ孔検出センサ２３１および光沢度地色検出センサ２３２を、この綴じ孔検出センサ２３１および光沢度地色検出センサ２３２とは異なる位置に配備された綴じ孔検出センサ３９１，３９２および光沢度地色検出センサ３８１，３８２に置き換えたものである。
【００７８】
以下、第１実施形態における要素と同じ要素については同じ符号を付して説明を省略し、第１実施形態との相違点についてのみ説明する。
【００７９】
図１３は、第４実施形態における、原稿２００が載せられたプラテンガラス３３を解放する開状態を示す図である。尚、図１３では、原稿蓋の図示を省略している。
【００８０】
図１３に示すように、プラテンガラス３３の脇に、原稿２００の一部分を差し込む２つの原稿差込ガイド３８，３９が設けられており、一方の原稿差込ガイド３８の上部分３８ａおよび下部分３８ｂそれぞれに、原稿２００の光沢度および地色を検出する一対の光沢度地色検出センサ３８１，３８２が備えられ、他方の原稿差込ガイド３９の上部分３９ａおよび下部分３９ｂそれぞれに、原稿２００の綴じ孔の有無および綴じ孔が検出された場合には綴じ孔の位置を検出する一対の綴じ孔検出センサ３９１，３９２が備えられている。この光沢度地色検出センサ３８１，３８２は、本発明にいう光沢度検出部および地色検出部の一例に相当するものであり、この綴じ孔検出センサ３９１，３９２は、本発明にいう綴じ孔検出部の一例に相当するものである。
【００８１】
第４実施形態の複写機によれば、一対の光沢度地色検出センサ３８１，３８２によって、原稿２００の表裏面双方に対して光沢度および地色の検出が可能であるため、表裏面の光沢度や地色が異なる原稿にも対応可能である。また、原稿差込ガイド３８，３９が原稿２００押さえも兼ねるため、プラテンガラス３３上での原稿２００の位置ずれが防止される。
【００８２】
以上で、本発明の第４実施形態の説明を終了し、本発明の第５実施形態および第６実施形態について説明する。
【００８３】
尚、以下説明する第５実施形態および第６実施形態は、上述した第１実施形態の複写機１００における原稿蓋２に設けられた綴じ孔検出センサ２３１の機能を、この綴じ孔検出センサ２３１とは構成の異なる読取制御部３２に担わせたものである。
【００８４】
以下、第１実施形態における要素と同じ要素については同じ符号を付して説明を省略し、第１実施形態との相違点についてのみ説明する。
【００８５】
図１４は、第５実施形態における、プラテンガラス３３に載せられた孔空き原稿２１０を筐体３０の内部に備えられた画像読取器３側からプラテンガラス３３越しに見た図であり、図１５は、第６実施形態における、プラテンガラス３３に載せられた孔空き原稿２１０を筐体３０の内部に備えられた画像読取器３側からプラテンガラス３３越しに見た図である。
【００８６】
図１４には、プラテンガラス３３に載せられた、綴じ孔２１０ａが空けられた孔空き原稿２１０と、原稿蓋２の、プラテンガラス３３を覆ってその原稿２００と接する内面部２ｂとが示されており、図１５には、プラテンガラス３３に載せられた、綴じ孔２１０ａが空けられた孔空き原稿２１０と、原稿蓋２の、プラテンガラス３３を覆ってその原稿２００と接する内面部２ｃとが示されている。
【００８７】
図１４に示す内面部２ｂは、黒色となっており、プラテンガラス３３に載せられた孔空き原稿２１０を筐体３０の内部に備えられた画像読取器３側からプラテンガラス３３越しに見ると、綴じ孔２１０ａから内面部２ｂの黒色が見えることとなる。
【００８８】
また、図１５に示す内面部２ｃには、格子模様が描かれており、プラテンガラス３３に載せられた孔空き原稿２１０を筐体３０の内部に備えられた画像読取器３側からプラテンガラス３３越しに見ると、綴じ孔２１０ａから内面部２ｃの格子模様が見えることとなる。
【００８９】
このような孔空き原稿２１０を画像読取部３１を用いて読み取ると、綴じ孔２１０ａから見える内面部２ｂの黒色や綴じ孔２１０ａから見える内面部２ｃの格子模様も読み取られることとなる。そして、第５実施形態では、読取制御部３２に入力された画像信号をこの読取制御部３２で解析することによって、内面部２ｂの黒色や内面部２ｃの格子模様に基づいて、綴じ孔２１０ａの有無や綴じ孔２１０ａの位置を検出している。この読取制御部３２は、本発明にいう綴じ孔検出部の一例に相当するものである。
【００９０】
尚、上述した各実施形態では、本発明にいう原稿厚検出部で検出された厚さに最も近い厚さに対応付けられている給紙トレイに収納されている記録媒体を選択して、この記録媒体に原稿の画像を複写する例について説明したが、本発明は、これに限られるものではなく、本発明にいう原稿厚検出部で検出された厚さに応じた厚さの記録媒体に原稿の画像を複写してもよい。例えば、原稿より薄めの記録媒体や、原稿より厚めの記録媒体に原稿の画像を複写してもよく、また、例えば、複数枚複写する場合に、複数枚分の記録媒体の仕上がり厚さを考慮して選択した記録媒体に原稿の画像を複写してもよい。
【図面の簡単な説明】
【００９１】
【図１】本発明の第１実施形態の概略構成図である。
【図２】図１に示す原稿蓋の、プラテンガラスを覆う部分の概略構成図であって、原稿が載せられたプラテンガラスを覆う閉状態で第１原稿厚検出センサおよび第２原稿厚検出センサによる原稿の厚さを検出する様子を示す図である。
【図３】図１に示す原稿蓋の、プラテンガラスを覆う部分の概略構成図であって、原稿が載せられたプラテンガラスを解放する開状態を示す図である。
【図４】図１に示す原稿蓋の、プラテンガラスを覆う部分の概略構成図であって、原稿が載せられたプラテンガラスを原稿蓋２が覆う閉状態を上から見た図である。
【図５】図２〜図４に示す第１原稿厚検出センサの拡大図である。
【図６】図１に示す原稿蓋の、プラテンガラスを覆う部分の概略構成図であって、原稿が載せられたプラテンガラスを覆う閉状態で光沢度地色検出センサによる原稿の光沢度および地色を検出する様子を示す図である。
【図７】図１に示す原稿蓋の、プラテンガラスを覆う部分の概略構成図であって、原稿が載せられたプラテンガラスを覆う閉状態で綴じ孔検出センサによる原稿の綴じ孔の有無および綴じ孔が検出された場合には綴じ孔の位置を検出する様子を示す図である。
【図８】図１に示す原稿蓋に備えられた自動原稿搬送器の概略構成図である。
【図９】第２実施形態における、原稿が載せられたプラテンガラスを解放する開状態を示す図である。
【図１０】図９に示す開状態を横から見た図である。
【図１１】第３実施形態における、原稿が載せられたプラテンガラスを解放する開状態を示す図である。
【図１２】図１１に示す開状態を横から見た図である。
【図１３】第４実施形態における、原稿が載せられたプラテンガラスを解放する開状態を示す図である。
【図１４】第５実施形態における、プラテンガラスに載せられた孔空き原稿を筐体の内部に備えられた画像読取器側からプラテンガラス越しに見た図である。
【図１５】第６実施形態における、プラテンガラスに載せられた孔空き原稿を筐体の内部に備えられた画像読取器側からプラテンガラス越しに見た図である。
【符号の説明】
【００９２】
１００    複写機
２    原稿蓋
２ａ    一部
２ｂ，２ｃ    内面部
２００    原稿
２１０    孔空き原稿
２１０ａ    綴じ孔
２０    自動原稿搬送器
２１    原稿台
２２    搬送部
２２ａ    搬送経路
２２１    送出ロール
２２ｂ    反転搬送経路
２２２，２２４    搬送ロール
２２３    駆動ロール
２２５    原稿厚検出センサ
２２６，３６１，３６２，３８１，３８２    光沢度地色検出センサ
２３１，３７１，３７２，３９１，３９２    綴じ孔検出センサ
２３２    光沢度地色検出センサ
２３３    第１原稿厚検出センサ
２３４    第２原稿厚検出センサ
２３３１，２３４１    アーム部
２３３１ａ，２３４１ａ    検出部
２３３２，２３４２    光漏れ防止マイラ
３０    筐体
３    画像読取器
３１    画像読取部
３１１    光源
３１２    ミラー
３１３    ミラーユニット
３１４    レンズ
３１５    受像センサ
３２    読取制御部
３３    プラテンガラス
３４    コンタクトガラス
３５    搬送ガイド
３６，３７，３８，３９    原稿差込ガイド
３６ａ，３７ａ，３８ａ，３９ａ    上部分
３６ｂ，３７ｂ，３８ｂ，３９ｂ    下部分
４    複写部
４１    感光体
４２    露光器
４２１    露光光
４３    現像器
４４    転写ロール
４５    定着器
４６    媒体選択部
４６１，４６２，４６３，４６４    給紙トレイ
４００    記録媒体
４０１    厚手普通紙
４０２    薄手普通紙
４０３    コート紙
４０４    孔空き紙
４７１    第１搬送経路
４７２    第２搬送経路
４８    厚さ差確認部
４９    複写制御部
５０    パラメータ設定部
５１    警告部
５２    超音波重送センサ
５３    媒体厚検出センサ
５４    媒体厚記憶部
６０    後処理装置
６１    綴じ孔加工部
６２    綴じ孔加工制御部
７０    排出トレイ
【図１】
2009118068.tif 000003
【図２】
2009118068.tif 000004
【図３】
2009118068.tif 000005
【図４】
2009118068.tif 000006
【図５】
2009118068.tif 000007
【図６】
2009118068.tif 000008
【図７】
2009118068.tif 000009
【図８】
2009118068.tif 000010
【図９】
2009118068.tif 000011
【図１０】
2009118068.tif 000012
【図１１】
2009118068.tif 000013
【図１２】
2009118068.tif 000014
【図１３】
2009118068.tif 000015
【図１４】
2009118068.tif 000016
【図１５】
2009118068.tif 000017